(57)【要約】      （修正有）【課題】ノズルユニットからの温水を噴射するポンプユニットを小型化して消費電力を低くし、給水タンクから補給水を吸引するための給水ホースを不要として給水タンクの着脱が容易で、給水タンクへの補給水の補充作業が簡便となるようにしたポータブルトイレの提供。【解決手段】温水洗浄便座の下方に排便回収トレイ４を設け、背凭れ６の背面部位に給水タンク２０および温水タンクを配置し、温水タンクの上方に給水タンク２０を配置したとき、給水タンク２０の給水口と温水タンクの受水口が接続され、給水タンク２０の補給水の静水圧が温水タンクの温水に及ぶようにし、給水タンク２０に負圧破壊弁を設けることにより、補給水の供給に伴って大きくなる給水タンク内の負圧の発生を解消し、温水が受ける静水圧の低下を防ぐようにする。また、給水タンク２０の天地を逆にしたとき、補給水が漏出して滴り落ちないように負圧破壊弁を構成する。【選択図】図１
2012152440.tif 000002
【特許請求の範囲】
【請求項１】
着座部に温水洗浄便座を設け、該温水洗浄便座の下方に排便回収トレイを設けてなり、
背凭れの背面部位に給水タンクおよび温水タンクを配置するようにしたポータブルトイレ
であり、
前記温水タンクの上方に給水タンクを配置したとき、該給水タンクの給水口と温水タン
クの受水口が接続され、給水タンクの補給水の静水圧が温水タンクの温水に及ぶようにし
、前記給水タンクに負圧破壊弁を設けたことを特徴とするポータブルトイレ。
【請求項２】
前記給水タンクを温水タンクから離脱して天地を逆にしたとき、給水タンクの補給水の
漏出を阻止できるように構成された負圧破壊弁であることを特徴とする請求項１記載のポ
ータブルトイレ。
【発明の詳細な説明】
【技術分野】
【０００１】
本発明は、給水タンクから供給される補給水を温水タンクで加熱して温水を生成し、こ
の温水をノズルから噴射して便座に着座した人の臀部の局所を洗浄する温水洗浄機能を備
えた移動可能のポータブルトイレに関する。
【背景技術】
【０００２】
病臥している重篤な傷病者、あるいは老衰者などにとって排便処理は重要な日常課題で
あることから、臥床近辺に簡易構成のポータブルトイレを配置する傾向にある。この場合
においても臀部の局所の洗浄が可能であることが要求され、温水の洗浄ノズルを備えたポ
ータブルトイレが提案されている（例えば、特許文献１）。
【０００３】
前記特許文献１に開示されたポータブルトイレの目的は、排泄物を収容するバケツと洗
浄装置のノズルや案内板との干渉を避けながら、バケツを取り出せるようにし、ポータブ
ルトイレの軽量化を実現しようとするものである。
【先行技術文献】
【特許文献】
【０００４】
【特許文献１】特開２００８−７３０９４号公報
【発明の概要】
【発明が解決しようとする課題】
【０００５】
ところで、温水洗浄機能を備えるポータブルトイレにおいては、排泄物の収容も重要で
あるが、温水の供給源となる給水タンクの改良も重要な課題となっている。即ち、一般家
庭などにおいて、水洗式の便器のフランジ上に配置するようにした温水洗浄便座装置は、
水道水配管に接続された導水管から常に水道水が供給されるようにしているため、水の補
給に対する配慮を必要としない。また、洗浄ノズルからの温水の噴射は水道水の水圧を利
用していることから、温水を噴射するための特別なモータおよびポンプを要することがな
い。
【０００６】
ところが、水道水配管に接続されない一般的なポータブルトイレにおいては、水の供給
は専ら給水タンクによるものとなっていることから、給水タンクの貯水量で利用回数の上
限が定まってしまうことになり、給水タンク内の補給水が払底する前に補充することが必
要となる。しかしながら、給水タンク内の補給水の残量を常に把握して補充時期を意識す
ることは、傷病者とともに介護者にとっても煩わしいことである。特に重病者、重傷者に
ポータブルトイレの管理を望むことは甚だ困難であり、このような状況において管理が低
下し、失念により給水タンク内の補給水が払底すると、温水タンク内の温水も減少してく
ることになり、これにより温水タンク内の温水の温度が上昇して熱水による火傷を負う危
険性が生じてしまうことになる。
【０００７】
さらに、水道水の水圧を利用することができない従来のポータブルトイレでは、図１９
に示すように給水タンクＴ１と温水タンクＴ２が完全に別体となっていることから給水ポ
ンプＰを設け、この給水ポンプの吐出側を温水タンクＴ２に接続する一方、吸引側を同図
に示すように給水タンクＴ１内に臨むようにしている。
【０００８】
以上のように構成された従来のポータブルトイレでは、洗浄の開始が指示されると給水
ポンプＰが作動して給水タンクＴ１の補給水を吸引するとともに、この吸引された補給水
が温水タンクＴ２に供給される。これにより温水タンク内の水圧が上昇し、温水が洗浄水
切換ユニットＥを介しておしり洗浄ノズルＡまたはビデ洗浄ノズルＢに供給され、その先
端から温水が噴射する。
【０００９】
このように構成されていることにより、給水ポンプＰは給水タンクＴ１から補給水を吸
い上げる能力、および温水タンクＴ２内の圧力を高め、各ノズルＡ、Ｂからの温水の噴射
が可能となるようにするための能力が必要となるため、モータを含めるポンプユニットが
大型化してスペース効率が低下し、消費電力が大きくなるという問題がある。また、給水
タンクＴ１に給水ホースＨが接続された状態であるので、補給水の補充のため給水タンク
Ｔ１を本体から取り外す場合は、給水ホースＨを給水タンクＴ１から抜き取り、補給水の
補充後、給水ホースＨを給水タンクＴ１へ装着しなければならないという煩雑な手間が必
要となる。
【課題を解決するための手段】
【００１０】
そこで本発明は、以下に述べる各手段により上記の課題を解決するようにした。即ち、
請求項１に記載の発明は、着座部に温水洗浄便座を設け、該温水洗浄便座の下方に排便回
収トレイを設けてなり、背凭れの背面部位に給水タンクおよび温水タンクを配置するよう
にしたポータブルトイレであり、前記温水タンクの上方に給水タンクを配置したとき、該
給水タンクの給水口と温水タンクの受水口が接続され、給水タンクの補給水の静水圧が温
水タンクの温水に及ぶようにし、前記給水タンクに負圧破壊弁を設けたことを特徴とする
。
【００１１】
請求項２に記載の発明は、前記給水タンクを温水タンクから離脱して天地を逆にしたと
き、給水タンク内の補給水の漏出を阻止できるように構成された負圧破壊弁であることを
特徴とする。
【発明の効果】
【００１２】
請求項１に記載の発明は、温水タンクの上方に給水タンクを配置したとき、給水タンク
の補給水が温水タンクの内部に流れ込むようにしたので、給水タンクの補給水の静水圧が
温水タンクの温水に及ぶようになる。即ち、温水タンクの温水は常に吐出方向へ付勢され
ることになることから、温水をおしり洗浄ノズルまたはビデ洗浄ノズルから噴射するに必
要な動力エネルギーを小さくすることができるので、噴射を司るポンプユニットの小型化
が可能となってコスト削減が可能となる。これと同時にポンプユニットの消費電力が低く
なり、スペース効率を向上することができる。また、補給水の供給に伴って給水タンク内
部の負圧が大きくなり、温水が受ける静水圧が次第に低下する問題を、負圧破壊弁を設け
たことにより解決することができる。
【００１３】
請求項２に記載の発明は、給水タンクの天地を逆にしたとき、補給水が漏出しないよう
に前記負圧破壊弁を構成したので、この負圧破壊弁から補給水が滴り落ちるという事態を
避けることが可能である。
【図面の簡単な説明】
【００１４】
【図１】本発明のポータブルトイレの外観を示す正面斜視図である。
【図２】本発明のポータブルトイレの外観を示す背面斜視図である。
【図３】本発明の要部の構成を示す平面図である。
【図４】本発明の要部の構成を示す一部断面図である。
【図５】本発明の要部の構成を示す一部断面図である。
【図６】本発明の要部の構成を示す斜視図である。
【図７】本発明の要部の構成を示す斜視図である。
【図８】本発明の要部の組立状態を示す斜視図である。
【図９】本発明の温水タンクの構成を示す断面図である。
【図１０】本発明の温水タンクと給水タンクの接合状態を示す断面図である。
【図１１】本発明に採用するノズルユニットの斜視図である。
【図１２】本発明に採用するノズルユニットの斜視図である。
【図１３】本発明に採用する洗浄水切換ユニットの断面図である。
【図１４】本発明に採用するノズルユニットの断面図である。
【図１５】本発明に採用する洗浄水切換ユニットの分解斜視図である。
【図１６】本発明に採用する操作部の例を示す図である。
【図１７】本発明に採用する制御回路の例を示す図である。
【図１８】本発明のポータブルトイレの水回路の概要を説明する図である。
【図１９】従来のポータブルトイレの水回路の概要を説明する図である。
【発明を実施するための形態】
【００１５】
本発明の実施形態を図に基づいて以下に説明する。本発明によるポータブルトイレ１は
既知のポータブルトイレと同様に四脚で座部が支持される椅子状の形態であり、図１に正
面斜視図、図２に背面斜視図を示す。同各図に示すように、中央部が開口２ａする台座２
の四隅に支脚３が設けられ自立可能となるようにしている。
【００１６】
前記台座２の底面には、この台座２の開口２ａの全面を覆う状態であり、収容した排便
の処理が可能となるように着脱可能の排便収容トレイ４が配設されている。前記台座２の
前端の両側部に設けられた支脚３の頂部に立設された肘掛けパイプ５は、台座２の後方に
向けて図１、図２に示すように曲成され、着座した人体の背中に相当する部位に背凭れ６
が配設されている。一方、台座２の後端の両側部に設けられた支脚３の頂部には、略コ字
状に曲成されたアンカーパイプ８が立設されている。また、台座２の上面には電動式で上
下方向に開閉する便座７が配設されている。
【００１７】
本発明のポータブルトイレ１の主体部分は以上のように構成されているが、洗浄処理な
どに要する機能要素は、着座した人体の背中および臀部の背面に相当する位置に集約して
配設するようにしている。図３乃至図１０は、機能要素の配設状態を示す図であり、温水
タンク９は図３に示すように台座２上の左角隅部に配置され固定されている。
【００１８】
前記温水タンク９は図４の断面図で示すように、その内部に温水を生成するための電熱
ヒータ１０、温水の不足を検知するための電気信号を得るフロートスイッチ１１、温水が
適温に維持されるようにするための電気信号を得るサーミスター１２が内蔵された密閉中
空体であるが、上部に受水口９Ａを備える。この受水口９Ａは、図９に示すように開放さ
れ上端部が外方向に拡開されてテーパー面が形成され、基部が温水タンク９と一体の環状
フランジ９ａを有し、中心部に形成した突出部９ｃの基部に通孔９ｂが形成されている。
この通孔９ｂは、受水口９Ａの中心部から温水タンク９内に垂下する円筒状のリードパイ
プ９ｄの内部に連通するようにしている。
【００１９】
したがって、受水口９Ａに供給された補給水は前記通孔９ｂを介してリードパイプ９ｄ
内に流入し、このリードパイプ９ｄの温水タンク９の底面に面した開口部から補給水が供
給されることになる。このように構成されていることから、温水タンク９内の上層部に滞
留している温度調整された温水と低い温度の補給水が交わることがなく、適温の温水をノ
ズルユニットへ供給することができる。
【００２０】
前記温水タンク９上部側面には流出管９ｅを備え、電熱ヒータ１０により昇温された温
水の温水タンク９外への流出が可能となるようにしている。この流出管９ｅは図９に示す
ように、温水タンク９の中位に設けるようにしてもよい。このように、流出管９ｅを温水
タンク９の中位に設けておくことにより、流出管９ｅより上層に滞留する温水を洗浄に利
用することができるので、前記フロースイッチ１１が作動して温水の不足を報知した場合
においても、前記上層に滞留する温水を利用して数回の洗浄が可能となるようにし、温水
の不足の報知と同時に洗浄機能が停止する不具合の発生を防止することができる。
【００２１】
なお、本発明ではポータブルトイレ１の構成では、温水タンク９上に後述する給水タン
ク２０を配置する状態にし、温水タンク９の受水口９Ａの環状フランジ９ａと給水タンク
２０の給水口２０Ａの環状フランジ２０ａを嵌合するのであるが、このとき給水タンク２
０内の補給水の静水圧が給水口２０Ａに集中することになる。したがって、この静水圧に
対処するため、環状フランジ９ａの基部内周にはパッキン１３を配設し、給水タンク２０
のキャップ体２２の環状フランジ２２ａが装着されたとき、この環状フランジ２２ａの先
端がパッキン１３を押し潰して水密状態が得られ、補給水の漏出を防ぐようにしている。
【００２２】
このように構成された温水タンク９の流出管９ｅと、ノズルユニットＮＵへ温水を圧送
するため、ポンプ（ギヤポンプ）および電動モータを組み合わせて構成されたポンプユニ
ット１４の吸引管１４ａが可撓性チューブ１５により接続される一方、吐出管１４ｂも同
様に可撓性チューブ１６により洗浄水切換ユニットＳＵに接続される。この洗浄水切換ユ
ニットＳＵからは２本の可撓チューブ１８、１９がノズルユニットＮＵに接続される。な
お、可撓性チューブ１８はノズルユニットＮＵのビデ洗浄ノズル側へ温水を供給し、可撓
性チューブ１９はおしり洗浄ノズル側へ温水を供給する。
【００２３】
つぎに、給水タンク２０の構成について詳細に説明する。給水タンク２０は、例えば合
成樹脂のブロー成型による中空体であり、補給水が減少するに伴って発生する負圧を解消
するための負圧破壊弁２１を備える。図５に示す負圧破壊弁２１は、吹出図（Ａ）、（Ｂ
）に示すようにコイルスプリング２１ａの上に鋼球２１ｂが乗ってケーシングに収まった
構造となっており、更にその鋼球２１ｂの上方のケーシングに通気孔２１ｃ、２１ｅが形
成されている。
【００２４】
本発明に採用する負圧破壊弁２１は以上のように構成されていることから、図５に示す
ように給水タンク２０を温水タンク９に接続している状態では、吹出図（Ａ）に示すよう
にコイルスプリング２１ａが鋼球２１ｂの重さにより下方に縮み、通気孔２１ｃが開いた
状態となる。これにより、温水タンク９の内部と外部との気圧が同一となり、負圧の発生
を防ぐことができる。一方、給水タンク２０を温水タンク９から取り外し、圧力破壊弁２
１が下方になるように天地を逆にすると、吹出図（Ｂ）に示すようにコイルスプリング２
１ａの復原力により鋼球２１ｂが通気孔２１ｃの方向に押され、パッキン２１ｄによりシ
ールされて通気孔２１ｃは閉じられることになる。これにより、給水タンク２０は水密状
態となり、図５に示す状態から逆さまにして持ち歩いても給水タンク２０に入っている補
給水が漏出することはない。
【００２５】
前記給水タンク２０の給水口２０Ａの構成は、図１０に示すように、その底部にスクリ
ューフランジ２０ａが外部へ突出する状態で形成されており、このスクリューフランジ２
０ａに螺着するキャップ体２２を備える。このキャップ体２２は平坦面から延設された環
状フランジ２２ａを備え、この環状フランジ２２ａが前記温水タンク９の受水口９Ａの環
状フランジ９ａに嵌合するようにしている。また、前記平坦面の中心部には、周囲に通孔
２２ｂが形成された軸受部２２ｃを備え、前記通孔２２ｂの外周を囲繞するように弁受フ
ランジ２２ｄが形成されている。
【００２６】
前記軸受部２２ｃにはスピンドル２３が挿通されており、その先端に前記弁受フランジ
２２ｄの開口部に密接する閉止弁２４が設けられている。一方、軸受部２２ｃとスピンド
ル２３の端部のフランジ２３ａとの間には、圧縮コイルバネ２５が設けられており、弁受
フランジ２２ｄを塞ぐ方向へ閉止弁２４を付勢している。
【００２７】
即ち、図１０に示す状態では、スピンドル２３が温水タンク９の受水口９Ａの突出部９
ｃに当接して押し上げられ、これにより閉止弁２４が弁受フランジ２２ｄの開口部を開放
して給水タンク２０の補給水の温水タンク９への流入が可能となるようにしている。かか
る状態から、給水タンク２０を温水タンク９から離脱すると、圧縮コイルバネ２５が作用
してスピンドル２３が降下し、閉止弁２４が弁受フランジ２２ｄの開口部を塞ぎ、補給水
の流出が阻止される。
【００２８】
なお、給水タンク２０を温水タンク９から離脱するとき、給水タンク２０のキャップ体
２２の環状フランジ２２ａ内には補給水が残留し、離脱と同時にこの補給水が温水タンク
９の環状フランジ９ａ内に漏出する。この漏出した補給水が更に温水タンク９外へ漏出す
るのを確実に防止するためには、温水タンク９の環状フランジ９ａを給水タンク２０のキ
ャップ体２２の環状フランジ２２ａより極力高くするか、あるいは図１０に示すように環
状フランジ２２ａ内に厚肉部２２ｅを設け、環状フランジ２２ａ内部の空間容量が温水タ
ンク９の環状フランジ９ａ内部の空間容量より相対的に小さくなるようにすればよい。
【００２９】
以上の構成の給水タンク２０では、環状フランジ２２ａの開口部にパッキン２６、これ
に対応するキャップ体２２の平坦部にパッキン２７を貼設し、装着したストレーナー２８
のフランジを両パッキン２６、２７で挟持し、補給水の漏出を防ぐ。なお、給水タンク２
０に補給水の補充を行う場合は、離脱した給水タンク２０の天地を反転し、キャップ体２
２を転回してスクリューフランジ２０ａとの螺合を外し、ストレーナー２８を取り出すこ
とによりスクリューフランジ２０ａの開口部からの注水が可能となる。なお、このストレ
ーナー２８に除菌剤を封入しておくことにより、補給水の除菌が可能となる。
【００３０】
上述したように、温水タンク９内の温水の不足はフロースイッチ１１により検知するこ
とができるが、給水タンク２０内の補給水が不足したとき、これを検知する構成について
以下に説明する。図５に示すように給水タンク２０の底部にフローティングユニット２９
を配設する。このフローティングユニット２９の内部には、補給水の水面の水位に同調し
て昇降する浮子２９ａが設けられ、更にこの浮子２９ａに永久磁石２９ｂが設けられてい
る。一方、温水タンク９側であって、各機構要素を収容するケーシング３１のフローティ
ングユニット２９に対向する裏面に磁気感応素子３０を設ける。
【００３１】
このように構成しておくことにより、給水タンク２０内の補給水が消費され、その水位
が降下するのに同調して浮子２９ａおよび永久磁石２９ｂが降下すると、磁気感応素子３
０に与える磁力の影響が次第に大きくなり、この磁気感応素子３０から電気信号を得るこ
とができる。磁気感応素子３０から得られた電気信号は、電気回路処理による閾値を超え
たとき、あるいはリードスイッチによるオンオフ信号によりインジケータを点灯して補給
水の不足を報知するようにしてもよいが、磁力の大きさに対応して複数のインジケータを
順次連続して点灯させ、補給水の不足の程度を可視化するようにしてもよい。
【００３２】
つぎに、本発明のポータブルトイレに採用する温水洗浄ユニットの例を説明する。温水
洗浄ユニット４０は図１１乃至図１５に示すように、おしり洗浄ノズル４１と、ビデ洗浄
ノズル４２と、おしり洗浄ノズル４１の進退動作を行うおしり洗浄ノズル用ノズルケース
４３と、ビデ洗浄ノズル４２の進退動作を行うビデ洗浄ノズル用ノズルケース４４とを備
えたノズルユニットＵＮと、ポンプユニット１４により供給される温水タンク９の温水を
おしり洗浄ノズル４１またはビデ洗浄ノズル４２のいずれに供給するかを選択する切換弁
４６を備えた洗浄水切換ユニットＳＵとにより構成されている。
【００３３】
ノズルユニットＮＵは、おしり洗浄ノズル４１の真下にビデ洗浄ノズル４２が略平行に
位置するように、上下に平行配置されたおしり洗浄ノズル用ノズルケース４３とビデ洗浄
ノズル用ノズルケース４４に収容されている。おしり洗浄ノズル４１およびビデ洗浄ノズ
ル４２は、後述するように、ポンプユニット１４による温水への加圧により進出動作を行
い、先端部のノズル孔４１ａ、４２ａから温水を噴出する。おしり洗浄用ノズルケース４
３とビデ洗浄用ノズルケース４４は、合成樹脂で一体成形されている。
【００３４】
おしり洗浄ノズル４１は、合成樹脂による円筒形などの筒状であり、洗浄水である温水
が流通する内部通路４１ｔは、先端部のノズル孔４１ａへ向けて次第に断面積Ｓ１が小さ
くなるように形成されており、内部通路４１ｔの先端において洗浄水の圧力が最も高くな
るようにしている。一方、ビデ洗浄ノズル４２もおしり洗浄ノズル４１と同様に、合成樹
脂による円筒形などの筒状をなし、洗浄水である温水が流通する内部通路４２ｔは、先端
のノズル４２ａへ向けて次第に断面積Ｓ２が小さくなるように形成されており、内部通路
４２ｔの先端において洗浄水の圧力が最も高くなるようにしている。
【００３５】
ノズルユニットＮＵの後端部には、洗浄水切換ユニットＳＵから供給される温水をおし
り洗浄ノズル用ノズルケース４３へ導く温水導入部４３ｂと、ビデ洗浄ノズル用ノズルケ
ース４４へ導く温水導入部４４ｂを備える。具体的には、温水導入部４３ｂ、４４ｂが導
入部カバー４６に形成されており、この導入部カバー４６を覆うように取付け部材６７が
、ネジ６８によりノズルユニットＮＵの後端に取り付けられている。これにより、おしり
洗浄ノズル用ノズルケース４３の後端の入口開口が、温水導入部４３ｂと連通状態となり
、また、ビデ洗浄ノズル用ノズルケース４４の後端の入口開口が、温水導入部４４ｂと連
通状態となる。
【００３６】
このように、上下に配置したおしり洗浄ノズル４１とビデ洗浄ノズル４２は、台座２の
空間内において、共に前方斜め下方に向けて進退するように配置し、台座２の左右間の中
心線であって前後方向の中心線上の配置となる。このため、便座７に着座した人の肛門や
ビデなどの被洗浄局所に対して、真下または真下後方部からの温水噴射が得られる。
【００３７】
このため、ポンプユニット１４による温水への加圧がなされていない状態では、おしり
洗浄ノズル４１はコイルバネ４５ａによって、おしり洗浄ノズル用ノズルケース４３内に
後退した状態に保たれ、温水への加圧がなされたときは、その加圧をおしり洗浄ノズル４
１の後端に形成した環状フランジの水受け部４１ｂが受け、コイルバネ４５ａを圧縮しつ
つおしり洗浄ノズル４１が進出し、水受け部４１ｂに取り付けたパッキン４１ｐがおしり
洗浄ノズル用ノズルケース４３内のストッパー４３ａに当接し、所定の進出位置で停止す
る。
【００３８】
一方、ビデ洗浄ノズル４２における場合においても、ポンプユニット１４による温水へ
の加圧がなされていない状態では、ビデ洗浄ノズル４２はコイルバネ４５ｂによってビデ
洗浄ノズル用ノズルケース４４内に後退した状態に保たれ、温水への加圧がなされたとき
は、その加圧をビデ洗浄ノズル４２の後端に形成した環状フランジの水受け部４２ｂが受
け、コイルバネ４５ｂを圧縮しつつビデ洗浄ノズル４２が進出し、水受け部４２ｂに取り
付けたパッキン４２ｐがビデ洗浄用ノズルケース４４内のストッパー４４ａに当接して所
定の位置で停止する。
【００３９】
つぎに、洗浄水切換ユニットＳＵは図１３、図１５に示すように、切換弁４６を回動す
る電動モータ４７と、切換弁４６を収容する弁室４９を形成した弁室部材５０と、切換弁
４６によって切り換えられるおしり洗浄水通路５１とビデ洗浄水通路５２を形成した切換
通路部材５３とが、ネジ５４によって結合されて一体化されており、これにより弁室４９
の水密状態が保たれる。
【００４０】
前記切換弁４６は、水平軸線上で正転・逆転のするように、電動モータ４７の駆動軸４
８に支持されて弁室４９に収容されている。弁室部材５０は、その上壁に形成した温水導
入口４９ｂに可撓性チューブ１６が接続され、この可撓性チューブ１６から供給される温
水が弁室４９へ流入する。
【００４１】
電動モータ４７の駆動軸４８は、電動モータ４７の回転子から延びた軸４８ａのみで構
成してもよいが、電動モータ４７の回転子から延びた軸４８ａと、これに嵌め合わせて一
体化した補助軸４８ｂとにより構成している。また、図１３に示すように、電動モータ４
７の駆動軸４８は、温水が漏れないようにシールパッキン５６によってシール状態で切換
通路部材５３を貫通し、その先端に切換弁４６を取り付けている。電動モータ４７は、後
述する制御回路のパルス出力によりステッピング動作をするものであり、ステッピングモ
ータとも称する。
【００４２】
組み立ておよび交換修理の容易性を考慮して、切換弁４６は電動モータ４７の駆動軸４
８の先端に、図１３において左側から嵌め合わせて取り付けられている。切換弁４６によ
って切り換えられる温水の流れが、切換弁４６に貫通形成した弁通路４６ａがおしり洗浄
通路５１と連通した状態と、弁通路４６ａがビデ洗浄水通路５２と連通した状態へ切り換
えられるため、切換弁４６が切換通路部材へ押圧されて保持される必要がある。このため
、切換弁４６が回動可能であってその支持が安定化するために、切換弁４６を駆動軸４８
側に向けてコイルバネ５９の押圧にて保持する構成を採用している。
【００４３】
具体的には、切換弁４６の駆動軸４８と反対側は、弁室４９の側壁（図１３において左
壁）から駆動軸４８方向に突出する支持軸５７と、切換弁４６から突出する支持軸５８と
に緩く嵌められたコイルバネ５９によって、切換弁４６側に向けて押圧して保持しており
、電動モータ４７による正転・逆転の回動が円滑となるように構成している。
【００４４】
上述したように洗浄水切換ユニットＳＵは、電動モータ４７と、弁室部材５０と、切換
通路部材５３とが、ネジ５４により一体化された構成である。この一体化された状態で、
洗浄水切換ユニットＳＵは、温水タンク９の側面にネジ止めし、この状態で可撓性チュー
ブの端部が弁室４９の温水導入口４９ｂに接続される。なお、この接続部からの漏水を防
止するため、シールパッキン６１が設けられている。
【００４５】
また、このように一体化することにより、弁室部材５０と切換通路部材５３との接合部
から温水が漏出しないようにするため、この接合部がゴム製のシールパッキン６２により
シールされている。また、切換弁４６によって温水の流れが、おしり洗浄水通路５１へ切
り換えられた状態で、ビデ洗浄水通路５２へ温水が流れ込まないようにし、また、温水の
流れがビデ洗浄水通路５２へ切り換えられた状態で、おしり洗浄水通路５１へ温水が流れ
込まないようにするため、おしり洗浄水通路５１とビデ洗浄水通路５２の入口周縁に、ゴ
ム製のシールパッキン６３ａ、６３ｂが取り付けられている。これによって、切換弁４６
は、コイルバネ５９によって切換通路部材５３へ向けて押圧されるとき、切換弁４６の一
方の面がシールパッキン６３ａ、６３ｂに圧接され、この圧接状態において切換弁４６は
、温水の流れをおしり洗浄水通路５１とビデ洗浄水通路５２とに切り換える。
【００４６】
なお、切換弁４６の一方の面がシールパッキン６３ａ、６３ｂに圧接状態において、切
換弁４６が温水の流れをおしり洗浄水通路５１とビデ洗浄水通路５２とに切換回動する動
作を安定化するため、シールパッキン６３ａ、６３ｂと同一平面をなすように、切換通路
部材５３の凹部６４ａ、６４ｂにそれぞれゴム製の当接部材６５ａ、６５ｂを嵌め込んで
いる。
【００４７】
温水洗浄ユニット４０は、ノズルユニットＮＵと洗浄水切換ユニットＳＵの温水通路の
接続のため、おしり洗浄水通路５１は、その出口部５１ａが可撓性チューブ１９により温
水導入部４３ｂへ接続されている。また、ビデ洗浄水通路５２は、その出口部５２ａが可
撓性チューブ１８により温水導入部４４ｂへ接続されている。また、ノズルユニットＮＵ
は、台座２にネジ６８により固定され、おしり洗浄ノズル４１とビデ洗浄ノズル４２が、
台座２の左右間の中心線となる前後方向の中心線上の所定位置に保持される。
【００４８】
つぎに、上述したように構成された本発明のポータブルトイレ１に付帯する機能要素を
説明する。便座７は電動モータ７１により上下方向に開閉可能となるようにしており、こ
れに加え脱臭ユニット７２、乾燥ユニット７３を備える。また、前記便座７は、その裏面
にアルミニウム箔を介して絶縁被覆されたヒータが配設されており、このヒータにより加
温される。
【００４９】
上記各機能要素とノズルユニットＮＵを動作するための操作部８０は、図１６に拡大図
で示すように、各種の操作スイッチとＬＥＤ表示部が配設されている。この操作スイッチ
として、おしり洗浄開始スイッチ８３、ビデ洗浄開始スイッチ８４、洗浄停止スイッチ８
２、洗浄水の水勢増減スイッチ８５ａ、８５ｂ、温水タンク９の温水温度調節スイッチ８
６、便座７の温度を可変する便座温度調節スイッチ８７などが設けられている。
【００５０】
また、ＬＥＤ表示部としては、水勢増減スイッチ８５ａ、８５ｂに対応して水勢の強中
弱を３段階で表示するＬＥＤ８５ｃ、温水温度調節スイッチ８６に対応して温水温度を低
中高の３段階で表示する８６ａ、便座温度調節スイッチ８７に対応して便座温度を低中高
の３段階で表示するＬＥＤ８７ａが設けられている。なお、温水タンク９の温水または給
水タンク２０の補給水が不足したとき、フロースイッチ１１または磁気感応素子３０から
の信号に基づいて点灯するＬＥＤ８１を備える。なお、便座７を上下方向に開閉する電動
モータ７１をオンオフするスイッチ９９ａ、９９ｂも操作部８０に設けている。
【００５１】
図１７は、制御手段である制御回路９０の構成を示すもので、商用交流電源ＡＣにマイ
クロコンピュータを主体に構成した制御部９１を接続するとともに、この制御部９１に操
作部８０を接続する。さらにこの制御部９１には便座７への着座を検出する着座スイッチ
９２と、便座７の温度を検出する温度センサ９３と、フロートスイッチ１１または磁気感
応素子３０と、温水タンク９内の温水の温度を検知するサーミスター１２が接続されてい
る。前記着座スイッチ９２は、便座７に人が着座したときの重量で便座７が僅かに下降す
ることにより作動するスイッチや、便座７に着座した人を赤外線で検出する赤外線スイッ
チなどが採用される。
【００５２】
前記制御部９１は、タイマ、メモリなどを備え、予め設定したプログラムに従って所定
の動作を行うマイクロコンピュータによる制御方式である。また、前記商用交流電源ＡＣ
には、制御部９１からの出力信号に基づいて各々が動作するスイッチング素子９４ａ〜９
４ｇに、便座ヒータ９５、温水タンク９内の水を昇温する温水ヒータ１０、切換弁４６を
駆動する電動モータ４７、便座を開閉する電動モータ７１、脱臭ユニット７２、乾燥ユニ
ット７３、そしてポンプユニット１４が接続されている。
【００５３】
上記制御回路９１が作動された待機状態においては、通常、接点が閉じている温度検知
部９６は、温水タンク９内の異常温度を検知したとき開いて、温水ヒータ１０への通電を
遮断する。また、温水タンク９内の水は、サーミスター１２の温度感知に基づく制御部９
１の作動により、スイッチング素子９４ｂが温水ヒータ１０への通電のＯＮ／ＯＦＦ動作
を行い、温水の温度が所定の温度範囲に維持される。
【００５４】
また、待機状態において、切換弁４６は、その弁通路４６ａ以外の面が、おしり洗浄水
通路５１とビデ洗浄水通路５２の入口周縁のシールパッキン６３ａ、６３ｂに当接してお
り、これにより、切換弁４６は、温水タンク９がおしり洗浄水通路５１とビデ洗浄水通路
５２のいずれとも連通しないように、おしり洗浄水通路５１とビデ洗浄水通路５２の入口
を塞ぎ、弁通路４６ａがおしり洗浄水通路５１とビデ洗浄水通路５２のいずれとも連通せ
ず、遮断状態となっている。
【００５５】
このような待機状態において、制御部９１は、スイッチング素子９４ｄを作動すること
により電動モータ７１が作動し、便座７が上方に開く。そして、着座スイッチ９２により
便座７への人の着座を検知すると、スイッチング素子９４ｅを通電して脱臭ユニット７２
の作動を開始する。この着座状態において、おしり洗浄開始スイッチ８３が押されておし
り洗浄指令が発せられ、またはビデ洗浄開始スイッチ８４が押されてビデ洗浄指令が発せ
られると、制御部９１はスイッチング素子９４ｃを適宜作動して電動モータ４７の駆動に
より切換弁４６を回動するとともに、スイッチング素子９４ｇを作動してポンプユニット
１４を駆動する。これにより、ポンプユニット１４は温水タンク９の温水を、可撓性チュ
ーブ１５を介して吸引するとともに、この吸引し加圧された温水を、可撓性チューブ１６
を介して洗浄水切換ユニットＳＵに供給する。
【００５６】
この場合において、おしり洗浄開始スイッチ８３が押されているときは、電動モータ４
７の作動にて切換弁４６がシールパッキン６３ａ、６３ｂと当接部材６５ａ、６５ｂに当
接した状態で回動し、切換弁４６の弁通路４６ａがおしり洗浄水通路５１と連通した状態
で電動モータ４７が停止する。これにより、ポンプユニット１４により加圧されて弁室４
９へ供給された温水は、弁通路４６ａとおしり洗浄水通路５１を通り、その出口部５１ａ
から可撓性チューブ１９を通ってノズルユニットＵＮの温水導入部４３ｂへ流入する。
【００５７】
前記温水導入部４３ｂへ流入した温水の水圧は、コイルバネ４５ａにより後退位置にあ
るおしり洗浄ノズル４１の水受け部４１ｂに作用し、コイルバネ４５ａを圧縮しつつおし
り洗浄ノズル４１を進出させ、パッキン４１ｐがストッパー４３ａに当接してその進出が
停止する。このようにしておしり洗浄ノズル４１が進出して停止した位置で、洗浄水とな
る温水は、水受け部４１ｂの中心孔を通過しておしり洗浄ノズル４１の内部通路４１ｔに
流入し、先端のノズル孔４１ａから噴出しておしり洗浄が可能となる。
【００５８】
そして、洗浄停止スイッチ８２が押されることにより、制御部９１が作動し、スイッチ
ング素子９４ｃが作動して電動モータ４７を駆動し、切換弁４６を待機位置へ戻すととも
に、スイッチング素子９４ｇを作動してポンプユニット１４の駆動を停止する。これによ
り、ポンプユニット１４が温水タンク９から吸引していた温水への加圧がなくなることに
なるので、ノズル孔４１ａからの温水の噴出が停止するとともに、コイルバネ４５ａによ
っておしり洗浄ノズル４１がおしり洗浄ノズル用ケース４３内に後退した状態に復帰する
。
【００５９】
一方、ビデ洗浄開始スイッチ８４が押されている場合は、電動モータ４７の作動にて切
換弁４６がシールパッキン６３ａ、６３ｂと当接部材６５ａ、６５ｂに当接した状態で回
動し、切換弁４６の弁通路４６ａがビデ洗浄水通路５２と連通した状態で電動モータ４７
が停止する。これにより、ポンプユニット１４により加圧されて弁室４９へ供給された温
水は、弁通路４６ａとビデ洗浄水通路５２を通り、その出口部５２ａから可撓性チューブ
１８通ってノズルユニットＮＵの温水導入部４４ｂへ流入する。
【００６０】
前記温水導入部４４ｂへ流入した温水の水圧は、コイルバネ４５ｂにより後退位置にあ
るビデ洗浄ノズル４２の水受け部４２ｂに作用し、コイルバネ４５ｂを圧縮しつつビデ洗
浄ノズル４２を進出させ、パッキン４２ｐがストッパー４４ａに当接してその進出が停止
する。このようにしてビデ洗浄ノズル４２が進出して停止した位置で、洗浄水となる温水
は、水受け部４２ｂの中心孔を通過してビデ洗浄ノズル４２の内部通路４２ｔに流入し、
先端のノズル孔４２ａから噴出してビデ洗浄が可能となる。
【００６１】
そして、洗浄停止スイッチ８２が押されることにより、制御部９１が作動し、スイッチ
ング素子９４ｃが作動して電動モータ４７を駆動し、切換弁４６を待機位置へ戻すととも
に、スイッチング素子９４ｇを作動してポンプユニット１４の駆動を停止する。これによ
り、ポンプユニット１４が温水タンク９から吸引していた温水への加圧がなくなることに
なるので、ノズル孔４２ａからの温水の噴出が停止するとともに、コイルバネ４５ｂによ
ってビデ洗浄ノズル４２がビデ洗浄ノズル用ケース４４内に後退した状態に復帰する。
【００６２】
以上詳細に説明したように、本発明のポータブルトイレ１では、おしり洗浄ノズル４１
とビデ洗浄ノズル４２の進出、および温水をノズル孔４１ａ、４２ａから噴出させるため
の温水への加圧をポンプユニット１４により行われるようにしてあるが、図１８に示すよ
うに温水タンク９に配置した給水タンク２０内の補給水の静水圧が温水タンクの温水に及
ぶようにしたので、この温水が常に付勢された状態となり、ポンプユニット１４の能力を
必要以上に大きくすることなく、目的とする機能を得ることができる。なお、おしり洗浄
ノズル４１とビデ洗浄ノズル４２の進出を、ポンプユニット１４による温水への加圧によ
り行うようにした実施例に基づいて説明したが、この加圧は温水の噴射のみに利用し、お
しり洗浄４１とビデ洗浄ノズル４２の進退を電動モータにより行うようにしても良い。
【００６３】
また、給水タンクから補給水を汲み上げる従来の方法を採用していないことから、給水
タンクへ給水パイプを設けることを必要とせず、これにより温水タンクからの給水タンク
の脱着が容易となり、補給水の補充作業が簡便となる。さらに本発明のポータブルトイレ
では、温水タンクまたは給水タンクに温水の減少または補給水の減少を検知する手段を設
けたので、補給水の補充時期を的確に放置することができるなど本発明特有の効果を奏す
る。
【符号の説明】
【００６４】
１・・・・・・ポータブルトイレ
２・・・・・・台座
３・・・・・・支脚
４・・・・・・排便収容トレイ
５・・・・・・肘掛けパイプ
６・・・・・・背凭れ
７・・・・・・便座
８・・・・・・アンカーパイプ
９・・・・・・温水タンク
１０・・・・・電熱ヒータ
１１・・・・・フロートスイッチ
１２・・・・・サーミスター
１３・・・・・パッキン
１４・・・・・ポンプユニット
１５・１６・・可撓性チューブ
１８・１９・・可撓性チューブ
２０・・・・・給水タンク
２１・・・・・負圧破壊弁
２２・・・・・キャップ体
２３・・・・・スピンドル
２４・・・・・閉止弁
２５・・・・・圧縮コイルバネ
２６・２７・・パッキン
２８・・・・・ストレーナー
２９・・・・・フローティングユニット
３０・・・・・磁気感応素子
３１・・・・・ケーシング
４０・・・・・温水洗浄ユニット
ＮＵ・・・・・ノズルユニット
ＳＵ・・・・・洗浄水切換ユニット
４１・・・・・おしり洗浄ノズル
４２・・・・・ビデ洗浄ノズル
４３・・・・・おしり洗浄ノズル用ノズルケース
４４・・・・・ビデ洗浄ノズル用ノズルケース
４５ａ・・・・コイルバネ
４５ｂ・・・・コイルバネ
４６・・・・・切換弁
４７・・・・・電動モータ
４８・・・・・駆動軸
４９・・・・・弁室
５０・・・・・弁室部材
５１・・・・・おしり洗浄水通路
５２・・・・・ビデ洗浄水通路
５３・・・・・切換通路部材
５４・・・・・ネジ
５６・・・・・シールパッキン
５７・５８・・支持軸
５９・・・・・コイルバネ
７１・・・・・電動モータ
７２・・・・・脱臭ユニット
７３・・・・・乾燥ユニット
８０・・・・・操作部
８１・・・・・ＬＥＤ
９０・・・・・制御回路
【図１】
2012152440.tif 000003
【図２】
2012152440.tif 000004
【図３】
2012152440.tif 000005
【図４】
2012152440.tif 000006
【図５】
2012152440.tif 000007
【図６】
2012152440.tif 000008
【図７】
2012152440.tif 000009
【図８】
2012152440.tif 000010
【図９】
2012152440.tif 000011
【図１０】
2012152440.tif 000012
【図１１】
2012152440.tif 000013
【図１２】
2012152440.tif 000014
【図１３】
2012152440.tif 000015
【図１４】
2012152440.tif 000016
【図１５】
2012152440.tif 000017
【図１６】
2012152440.tif 000018
【図１７】
2012152440.tif 000019
【図１８】
2012152440.tif 000020
【図１９】
2012152440.tif 000021